(57)【要約】【課題】  熱等から被整髪者等の保護対象者の頸部を保護する。【解決手段】  保護対象者の頸部６７の少なくとも一部を覆い前記頸部６７を保護するシート部３と、該シート部３に設けられ前記保護対象者に対して前記シート部３を保持するための保持部５とを備えたことを特徴とする。このため、前記シート部３を保護対象者に対して保持し、保護対象者の頸部６７の少なくとも一部を覆って保護することができる。従って、例えば、発熱により頭髪６５を処理する整髪処理具３３と共に用いられることで、保護対象者の頸部６７を前記熱から保護することができる。【選択図】  図５
2006000411.tif 000002
【特許請求の範囲】
【請求項１】
保護対象者の頸部の少なくとも一部を覆い前記頸部を保護するシート部と、該シート部に設けられ前記保護対象者に対して前記シート部を保持するための保持部とを備えたことを特徴とする保護シート。
【請求項２】
請求項１記載の保護シートであって、
発熱により頭髪を処理する整髪処理具と共に用いられ保護対象者の頸部を前記熱から保護することを特徴とする保護シート。
【請求項３】
請求項１又は２記載の保護シートであって、
前記シート部は、前記頸部を側方から後方にかけて覆うことを特徴とする保護シート。
【請求項４】
請求項１〜３のいずれかに記載の保護シートであって、
前記シート部は、可撓性を有していることを特徴とする保護シート。
【請求項５】
請求項１〜４のいずれかに記載の保護シートであって、
前記保持部は、前記保護対象者の頭部を包持することを特徴とする保護シート。
【請求項６】
請求項５記載の保護シートであって、
前記保持部は、前記保護対象者の頭部に巻き付けるための帯状の可撓性を有した巻付部と、該巻付部の先端部に設けられ前記巻付状態を前記着脱可能に係止する係止部とを備えたことを特徴とする保護シート。
【発明の詳細な説明】
【技術分野】
【０００１】
本発明は、保護対象者の頸部を保護する保護シートに関するものである。
【背景技術】
【０００２】
頭髪を処理する際には、整髪処理具が用いられる。この整髪処理具には、例えば、図９、図１０に示すヘアウェーブ装置がある。このヘアウェーブ装置は、分電箱１０１からコード１０３を延線し、このコード１０３の先端にヘアカーラー１０５を着脱自在に接続したものである。ヘアカーラー１０５は、内部にセラミックヒータ１０７を備え、セラミックヒータ１０７の電気的な発熱によって、頭髪のカーリングを促進することができる。
【０００３】
ところで、頭髪の毛先にのみヘアカーラー１０５を巻き付けてカーリングをする際、毛先に巻き付けられたヘアカーラー１０５が頭髪に垂れ下がり被整髪者の頸部近傍に位置することがある。
【０００４】
この場合、セラミックヒータ１０７により加熱したヘアカーラー１０５の熱が、被整髪者の頸部に影響を及ぼすため、毛先にカールを施すときは想到の注意を要し作業に困難を伴うという問題があった。また、被整髪者の頸部に影響を及ぼすためヘアカーラー１０７の熱を十分に高めることができず、毛先へのカールを迅速且つ的確に形成することに限界があった。
【０００５】
【特許文献１】特開平９−２１５５１７
【発明の開示】
【発明が解決しようとする課題】
【０００６】
本発明が解決しようとする課題は、熱等から被整髪者等の保護対象者の頸部を保護できない点にある。
【課題を解決するための手段】
【０００７】
本発明の保護シートは、保護対象者の頸部を保護するために、保護対象者の頸部の少なくとも一部を覆い前記頸部を保護するシート部と、該シート部に設けられ前記保護対象者に対して前記シート部を保持するための保持部とを備えたことを最も主要な特徴とする。
【発明の効果】
【０００８】
本発明の保護シートは、保護対象者の頸部の少なくとも一部を覆い前記頸部を保護するシート部と、該シート部に設けられ前記保護対象者に対して前記シート部を保持するための保持部とを備えたため、前記シート部を保護対象者に対して保持し、保護対象者の頸部の少なくとも一部を覆って保護することができる。
【０００９】
発熱により頭髪を処理する整髪処理具と共に用いられ保護対象者の頸部を前記熱から保護する場合は、前記シート部を保持部により保護対象者に対して保持し、保護対象者の頸部の少なくとも一部を覆うことができる。
【００１０】
従って、頭髪の毛先に整髪処理具により整髪処理する場合でも、シート部を整髪処理具と保護対象者の頸部との間に配置することができ、整髪処理具の熱から保護対象者の頸部を保護して熱による影響を抑制することができる。
【００１１】
前記シート部が前記頸部を側方から後方にかけて覆う場合は、シート部を整髪処理具と保護対象者の頸部との間に確実に配置することができ、整髪処理具の熱から保護対象者の頸部を保護して熱による影響を、より確実に抑制することができる。
【００１２】
前記シート部が可撓性を有している場合は、平面状の保護シートを簡単に立体形状とすることができ、保護対象者に装着して頸部を確実に保護することができる。また、シート部を保護対象者の頸部に沿わせることができ、シート部を整髪処理具と保護対象者の頸部との間に確実に配置することができ、整髪処理具の熱から保護対象者の頸部を保護しその熱による影響を、より確実に抑制することができる。
【００１３】
前記保持部が前記保護対象者の頭部を包持する場合は、保持部によって保護対象者の頭部を包持することによって、保護対象者に対しシート部を、より確実に保持することができる。
【００１４】
前記保持部が、前記保護対象者の頭部に巻き付けるための帯状の可撓性を有した巻付部と、該巻付部の先端部に設けられ前記巻付状態を前記着脱可能に係止する係止部とを備えた場合は、巻付部を保護対象者の頭部に巻き付け、その巻付状態を係止部によって係止することにより、保護対象者に対しシート部を、より確実に且つ容易に保持することができる。
【発明を実施するための最良の形態】
【００１５】
熱等から被整髪者等の保護対象者の頸部を保護するという目的を、頸部を覆う保護シートにより実現した。
【実施例１】
【００１６】
図１は本発明の実施例１に係り、（ａ）は保護シートの平面図、（ｂ）は同背面図である。
【００１７】
本実施例の保護シート１は、発熱により頭髪を処理する整髪処理具であるヘアウェーブ装置と用いられ、保護対象者である被整髪者の頸部を前記熱から保護するものである。保護シート１は、断熱性のシート部３と、被整髪者に対して前記シート部３を保持するための保持部５とを備えている。前記シート部３は、例えば、平面状のグラスウール、ポリアミド、アクリルニトリル、ポリエステル系繊維等の不織布からなり、断熱性、耐熱性、及び可撓性を有している。シート部３は、その断熱性により後述する発熱により頭髪を処理する整髪処理具であるヘアウェーブ装置２７のカーラー３３からの熱を遮断可能となっている。なお、本実施例のシート部３は、断熱性を有していればよく、例えば、グラスウール、ポリアミド、アクリルニトリル、ポリエステル系繊維等の織物、不燃紙、シリコンゴム等のシート、或いはその他の板状体、さらには、これらの積層体であってもよい。
【００１８】
前記シート部３は、一側に縁部を湾曲して形成した凹部７が設けられている。凹部７は、被整髪者の頸部に沿うようにその曲率が設定されている。前記シート部３は、凹部７と他側との間で被整髪者の頸部を後方から覆うことが可能となっている。
【００１９】
前記シート部３の幅方向両側には、凹部７に対し膨出形成された膨出部９，１１が設けられている。膨出部９，１１は、後述する巻付部１３，１５の巻き付けによって被整髪者の頸部に沿うように撓み、頸部を側方から覆うことが可能となっている。
【００２０】
前記保持部５は、シート部３の一側に設けられている。保持部５は、一対の巻付部１３，１５と、巻付部１３，１５の先端部に設けられた係止部１７とを備えている。
【００２１】
前記巻付部１３，１５は、前記シート部３の膨出部９，１１からそれぞれ一体に延設されている。巻付部１３，１５は、可撓性を有した帯状に形成され、被整髪者の頭部に巻付可能となっている。巻付部１３，１５は、前記頭部に巻き付けられると、その先端部１９，２１が被整髪者の額上に配置されて重なり合う。先端部１９，２１には、係止部１７が設けられている。
【００２２】
前記係止部１７は、いわゆる面ファスナーからなる。すなわち、係止部１７は、ループ面ファスナー２３と、フック面ファスナー２５とを備えている。ループ面ファスナー２３及びフック面ファスナー２５は、例えば可撓性を有した合成樹脂の板状に形成されている。ループ面ファスナー２３及びフック面ファスナー２５は、巻付部１３，１５の先端部１９，２１の前記重なり合う面にそれぞれ取り付けられている。前記ループ面ファスナー及びフック面ファスナー２５の取付は、縫製、接着等により行われている。前記ループ面ファスナー２３には複数のループ状の係合素子が設けられ、前記フック面ファスナー２５の一側面には複数のフック状の係合素子が設けられている。前記係止部１７は、ループ面ファスナー２３とフック面ファスナー２５とを接合することにより、ループ状の係合素子とフック状の係合素子とを係合させ、巻付部１３，１５の巻付状態を着脱自在に係止可能とする。ただし、前記係止部には、金属製のフックやボタン等を用いることも可能である。
【００２３】
前記保護シート１は、ヘアウェーブ装置２７により頭髪をカール（処理）する際に用いられる。図２はヘアウェーブ装置２７を示す概略図である。
【００２４】
前記ヘアウェーブ装置２７は、制御ボックス２９から複数のコード３１を延線し、各コード３１の先端にそれぞれカーラー３３が着脱自在且つ電気的に接続されている。カーラー３３は、内部にセラミックヒータを備え、そのセラミックヒータの電気的な発熱によって、頭髪を内側から加熱してカーリングを促進することができる。カーラー３３の発熱は、前記制御ボックス２９の複数の制御ボタン３５の操作により、例えば、連続設定、単発設定選択、温度設定等によって制御される。連続設定は、例えばカーラー３３の温度制御を一連の複数種の加熱処理のために行う。単発設定は、例えば単一の温度にカーラー３３の温度制御を行う。前記制御時の設定温度等は、制御ボックス２９に設けられた液晶表示部３７に表示される。
【００２５】
前記カーラー３３には、髪止め具３９が着脱自在に取り付けられている。髪止め具３９の詳細は、図３のようになっている。図３は、髪止め具３９の側面図である。
【００２６】
前記髪止め具３９は、カーラー３３と同様に、制御ボックス２９から延線された複数の各コード４１の先端に接続されている。この髪止め具３９は、一対のフラップ体４３，４５で構成されている。フラップ体４３，４５は、その湾曲部４７，４９によってカーラー３３を全体的に覆い、カーラー３３との間に頭髪を挟み込むようになっている。カーラー３３に対する着脱の際には、フラップ体４３，４５を、つまみ部５１，５３をつまみむことによって結合ピン５５を中心にしてトルクスプリング５７の付勢力に抗して開き、つまみ部５１，５３を離せば閉じることができる。
【００２７】
前記髪止め具３９は、前記湾曲部４７，４９にフィルムヒータ５９が設けられ、そのフィルムヒータ５９の電気的な発熱によって、頭髪を外側から加熱してカーリングを促進することができる。フィルムヒータ５９の発熱は、カーラー３３の発熱と同様に制御ボックス２９によって行われる。
【００２８】
従って、カーラー３３に巻き付けられた頭髪を、カーラー３３及び髪止め具３９によって内外から熱処理し、カールを迅速且つ的確に形成することができる。
【００２９】
本実施例では、前記髪止め具３９に代えて髪止め具３９Ａを用いることもできる。図４は、髪止め具３９Ａの側面図である。
【００３０】
前記髪止め具３９Ａは、基本構成において髪止め具３９と同様である。髪止め具３９Ａは、前記フィルムヒータ５９に代えてフラップ体４３Ａ，４５Ａに閉断面空間６１，６３を設けたものである。閉断面空間６１，６３には、断熱材として例えばシリコンやグラスウール等が封入されている。
【００３１】
従って、カーラー３３の温度制御に際し、髪止め具３９Ａがカーラー３３の外側を覆うから、被整髪者の頭皮にカーラー３３の熱が影響するのを抑制することができる。
【００３２】
図５〜図７は保護シートを被整髪者に対して保持した状態を示し、図５は被整髪者を斜め前方から見た斜視図、図６は同斜め後方から見た斜視図、図７は同後方から見た側面図である。
【００３３】
前記ヘアウェーブ装置２７によって頭髪６５をカールする際には、図５〜図７のように、保護シート１を被整髪者に対し保持する。すなわち、保持部５の巻付部１３，１５を被整髪者の頭部６９に巻き付ける。巻付に際しては、保護シート１の凹部７を被整髪者の頸部６７に後方から沿わせて位置決めておく。このとき、シート部３の一側の凹部７と他側との間で前記頸部６７を覆うようにする。
【００３４】
この状態で、保持部５の巻付部１３，１５を被整髪者の頭部６９に沿わせるようにして巻き付けが行われる。この巻付部１３，１５の巻き付けによって、前記シート部３の膨出部９，１１が前記頸部６７に沿うように撓む。このため、膨出部９，１１によって前記頸部６７を側方から覆うことができる。従って、保護シート１は、シート部３により被整髪者の頸部６７を側方から後方にかけて覆うことができる。なお、本実施例においては、図５のように、膨出部９，１１が被整髪者の顔の側方にまで至っており、顔の側方から頸部６７の後方にかけて覆っている。ただし、保護シートは、頸部の少なくとも一部を覆っていれば良く、例えば、頸部を後方からのみ覆うようにすることも可能である。
【００３５】
このように巻付部１３，１５を前記頭部６９に巻き付けた状態では、前記巻付部１３，１５の先端部１９，２１が被整髪者の額上に配置され重なり合う。このとき、係止部１７のループ面ファスナー２３とフック面ファスナー２５とを接合し、巻付部１３，１５の先端部１９，２１を相互に係止する。これにより、巻付部１３，１５の頭部６９への巻付状態を係止することができる。従って、巻付部１３，１５と保護シート１の凹部７との間で被整髪者の頭部６９を包持することができる。この結果、保持部５によって保護シート１を被整髪者に対し保持することができる。なお、本実施例では、ループ面ファスナー２３及びフック面ファスナー２５に加え、クリップ６８によって補足的に前記巻付部１３，１５の巻付状態を保持している。
【００３６】
次いで、図６及び図７のように、頭髪６５に前記カーラー３３を毛先にのみ巻き付けその外周に髪止め具３９又は髪止め具３９Ａを装着する。このとき、カーラー３３のコード３１に対する接続は切り離しておく。なお、本実施例では、頭髪６５の毛先のみのカーラー３３に加え、根元まで巻き付けたカーラー３３Ａも併用している。カーラー３３Ａと頭皮との間には、断熱シート６４が配置されている。また、カーラー３３は、予めシート６６を巻き付けて用いられるものもある。
【００３７】
このようにカーラー３３を頭髪６５の毛先に巻き付けた状態では、カーラー３３が頭髪６５に垂れ下がり被整髪者の頸部６７近傍に配置される。このとき、前記シート部３が被整髪者の頸部６７を覆っているため、被整髪者の頸部６７とカーラー３３との間に前記シート部３が配置される。
【００３８】
次いで、複数個所において上記のようにカーラー３３を巻き付け、各カーラー３３にコード３１を接続する。
【００３９】
この状態で、制御ボックス２９の制御ボタンを操作して温度設定を行い、連続設定或いは単発設定により制御を開始する。この設定により、カーラー３３や髪止め具３９の温度が適宜制御される。例えば、カーラー３３を、初期に常温から１３０℃程度まで上昇させ１０分程度維持し、頭髪に急激な熱ストレスを与える。その後カーラー３３の温度を１００℃前後まで下げる。このように短時間に高温度に制御すると、頭髪に熱による影響を少なくしながら確実にカールを施すことができる。
【００４０】
また、前記温度を、常温から１５０℃の範囲でリアルタイムに制御することで健康毛やダメージ毛等、種々の整髪を行うことができる。
【００４１】
また、髪止め具３９の温度を、カーラー３３に対し、例えば５０℃の温度差によって、相対的に低い温度に制御する。
【００４２】
このような、温度制御に際し、保護シート１のシート部３がカーラー３３と被整髪者の頸部６７との間に配置されるため、シート部３によってカーラー３３からの熱を遮断することができる。従って、保護シート１によって、カーラー３３の熱から被整髪者の頸部６７を保護し、被整髪者の頸部６７に前記熱が影響をするのを確実に抑制することができる。このため、頭髪６５の毛先にカーリングすることが可能となり、例えば、頭髪６５の毛先にのみ、根元まで、或いはその中間までのように、カールの程度を自由に設定することができ、カールを的確に形成することができる。
【００４３】
また、被整髪者の頸部６７に前記熱が影響をするのを抑制することができるので、カーラー３３による頭髪６５の毛先への熱処理を的確に行い、カールを迅速且つ的確に形成することができる。
【００４４】
以上、保護シート１によって被整髪者の頸部６７への熱の影響を抑制することができる。従って、頭髪６５の毛先にも整髪処理を行うことができ、カールを的確に形成することができる。また、保護シート１は、シート部３が被整髪者の頸部６７や顔を覆っているため、被整髪者の頭皮側から顔や頸部６７へ整髪促進用の液体、例えば、パーマ用液が垂れることを抑制することができる。さらに、巻付部１３，１５は、その先端部１９，２１が額上で相互に係止されているため、より確実に被整髪者の頭皮側から顔や頸部６７へパーマ用液等が垂れることを抑制できる。シート部３及び巻付部１３，１５は、布製であるため、パーマ用液を吸収して顔や頸部６７へ垂れることを、より確実に抑制することができる。
【００４５】
また、被整髪者の頸部６７への熱の影響を抑制することができるため、カーラー３３の温度を十分に高めて、カールを迅速且つ的確に形成することができる。
【００４６】
前記シート部３は、前記頸部６７を側方から後方にかけて覆うため、シート部３をカーラー３３と被整髪者の頸部６７との間に確実に配置することができ、カーラー３３の熱から頸部６７を保護して熱による影響を、より確実に抑制することができる。
【００４７】
前記シート部３は、可撓性を有しているため、平面状のシート部３を簡単に立体形状とすることができ、保護対象者に装着して頸部６７を確実に保護することができる。
【００４８】
しかも、シート部３を被整髪者の頸部６７に容易に沿わせることができ、確実に頸部６７を覆うことができる。従って、シート部３をカーラー３３と被整髪者の頸部６７との間に確実に配置することができ、カーラー３３の熱から頸部６７を保護して熱による影響を、より確実に抑制することができる。
【００４９】
前記保持部５は、前記被整髪者の頭部６９を包持するため、被整髪者に対しシート部３を、より確実に保持することができる。
【００５０】
前記保持部５は、巻付部１３，１５を被整髪者の頭部６９に巻き付け、その巻付状態を巻付部１３，１５の先端部１９，２１に設けられた係止部１７によって係止することができる。従って、被整髪者に対しシート部３を、より確実に且つ容易に保持することができる。
【実施例２】
【００５１】
図８は、本発明の実施例２に係り、（ａ）は保護シートの平面図、（ｂ）は同背面図である。
【００５２】
本実施例の保護シート１Ａは、保持部５に換えて保持部５Ａを設けたものである。すなわち、前記保持部５Ａは、巻付部１３Ａを有している。巻付部１３Ａは、一方の膨出部９から延設されている。巻付部１３Ａの先端部１９Ａには、係止部１７のループ面ファスナー２３が設けられている。前記係止部１７のフック面ファスナー２５は、他方の膨出部１１に設けられている。
【００５３】
従って、本実施例でも、上記実施例と同様の作用及び効果を奏することができる。
【００５４】
以上、本発明の実施例について説明した、本発明はこれに限定されるものではなく、構成の要素に付随した各種の変更が可能である。例えば、上記実施例では、頭髪を処理する際の断熱用として用いられていたが、日除けとして用いることも可能である。この場合、保護シートによって日光の紫外線や熱から保護対象者の頸部を保護することができる。
【００５５】
上記実施例では、保持部５を巻付部１３，１５と係止部１７とにより構成したが、例えば、シート部３に設けられ、弾性を有した環状のベルトであってもよい。
【図面の簡単な説明】
【００５６】
【図１】（ａ）は保護シートの平面図、（ｂ）は同背面図である（実施例１）。
【図２】ヘアウェーブ装置を示す概略図である（実施例１）。
【図３】ヘアウェーブ装置の髪止め具を示す側面図である（実施例１）。
【図４】ヘアウェーブ装置の別の髪止め具を示す側面図である（実施例１）。
【図５】保護シートを被整髪者に対して保持した状態を示し、被整髪者を斜め前方から見た斜視図である（実施例１）。
【図６】保護シートを被整髪者に対して保持した状態を示し、被整髪者を斜め後方から見た斜視図である（実施例１）。
【図７】保護シートを被整髪者に対して保持した状態を示し、後方から見た側面図である（実施例１）。
【図８】（ａ）は保護シートの平面図、（ｂ）は同背面図である（実施例２）。
【図９】ヘアウェーブ装置の斜視図である（従来例）。
【図１０】ヘアカーラーの一部を断面にした正面図である（従来例）。
【符号の説明】
【００５７】
１  保護シート
３  シート部
５  保持部
１３，１５  巻付部
１７  係止部
１９，２１  先端部
２７  ヘアウェーブ装置（整髪処理具）
３３  カーラー（整髪処理具）
【図１】
2006000411.tif 000003
【図２】
2006000411.tif 000004
【図３】
2006000411.tif 000005
【図４】
2006000411.tif 000006
【図５】
2006000411.tif 000007
【図６】
2006000411.tif 000008
【図７】
2006000411.tif 000009
【図８】
2006000411.tif 000010
【図９】
2006000411.tif 000011
【図１０】
2006000411.tif 000012